(57)【特許請求の範囲】
【請求項１】
テープ媒体をエンボス加工するためのエンボス加工ドラム用のスタンパプレートを製作する方法であって、
マスターテンプレートを用いて１つ以上の第１のスタンパプレートを形成するステップと、
前記１つ以上の第１のスタンパプレートのうち１つの第１のスタンパプレートから、第２のスタンパプレートを、前記第２のスタンパプレートと前記１つの第１のスタンパプレートとが反転したランドパターンとグルーブパターンとを有するように形成するステップとを含み、
前記第２のスタンパプレートおよび前記１つの第１のスタンパプレートまたは前記１つ以上の第１のスタンパプレートのうち別の第１のスタンパプレートは、テープ媒体をエンボス加工するために前記ドラム上で使用される、方法。
【請求項２】
前記１つ以上の第１のスタンパプレートを形成するステップは、前記マスターテンプレートから１つ以上の中間レプリカを形成し、次いで、前記１つ以上の中間レプリカのうち少なくとも１つから前記１つ以上の第１のスタンパプレートを形成するステップを含む、請求項１に記載の方法。
【請求項３】
前記スタンパプレートにはウォブルパターンが形成され、各第１のスタンパプレートの前記ウォブルパターンは、前記第２のスタンパプレートの前記ウォブルパターンに対して垂直に鏡映である、請求項１に記載の方法。
【請求項４】
前記１つ以上の第１のスタンパプレートを形成するステップは、少なくとも２つの第１のスタンパプレートを形成するステップを含み、前記方法はさらに、
前記少なくとも２つの第１のスタンパプレートのうち１つから、追加の第２のスタンパプレートを、前記追加の第２のスタンパプレートが前記第２のスタンパプレートと同じ構成を有するように形成するステップを含み、
前記追加の第２のスタンパプレートは、前記第２のスタンパプレートと、前記少なくとも２つの第１のスタンパプレートのうちの２つと共に、テープ媒体をエンボス加工するために前記ドラム上で使用される、請求項１に記載の方法。
【請求項５】
前記少なくとも２つの第１のスタンパプレートを形成するステップは、前記マスターテンプレートから少なくとも２つの中間レプリカを形成し、次いで、前記中間レプリカのうち１つから各第１のスタンパプレートを形成するステップを含む、請求項４に記載の方法。
【請求項６】
前記少なくとも２つの第１のスタンパプレートを形成するステップは、前記マスターテンプレートから中間レプリカを形成し、次いで、前記中間レプリカから各第１のスタンパプレートを形成するステップを含む、請求項４に記載の方法。
【請求項７】
前記スタンパプレートにはウォブルパターンが形成され、各第１のスタンパプレートの前記ウォブルパターンは、各第２のスタンパプレートの前記ウォブルパターンに対して垂直に鏡映である、請求項４に記載の方法。
【請求項８】
テープ媒体をエンボス加工するために使用するエンボッサドラムを製作する方法であって、
テープ媒体をエンボス加工するためのエンボス特徴を各々が有する複数のスタンパプレートを組立てるステップを含み、前記スタンパプレートは、少なくとも１つの第１のプレートと少なくとも１つの第２のプレートとを含み、
各第１のプレートの前記エンボス特徴は、各第２のプレートの前記エンボス特徴に対して反転している、方法。
【請求項９】
前記スタンパプレートは、前記第１のプレートのうちの２つと、前記第２のプレートのうちの２つとを含む、請求項８に記載の方法。
【請求項１０】
前記組立てるステップは、前記第１のプレートが互いに隣接して位置付けられ、かつ、前記第２のプレートが互いに隣接して位置付けられるように行なわれる、請求項９に記載の方法。
【請求項１１】
各第１のプレートは、単一のマスターテンプレートを用いて製作される、請求項９に記載の方法。
【請求項１２】
各第１のプレートは、前記マスターテンプレートから製作された１つ以上の中間レプリカから製作される、請求項１１に記載の方法。
【請求項１３】
前記第２のプレートは、前記第１のプレートのうち少なくとも１つから製作される、請求項１１に記載の方法。
【請求項１４】
各プレートの前記エンボス特徴は各プレートの各端部に識別子を含み、隣接するプレートの隣接する端部の前記識別子は、各プレートを識別するのに使用される、請求項９に記載の方法。
【請求項１５】
テープ媒体をエンボス加工するためのエンボス加工ドラムであって、
前記テープ媒体をエンボス加工するための第１のスタンパプレートと、
前記第１のスタンパプレートに近接して位置付けられた、前記テープ媒体をエンボス加工するための第２のスタンパプレートとを備え、
前記第１のスタンパプレートと前記第２のスタンパプレートとは反転したランドパターンとグルーブパターンとを有する、エンボス加工ドラム。
【請求項１６】
前記ランドパターンおよびグルーブパターンはウォブルパターンを含み、
前記第１のスタンパプレートの前記ウォブルパターンは、前記第２のスタンパプレートの前記ウォブルパターンに対して垂直に鏡映である、請求項１５に記載のエンボス加工ドラム。
【請求項１７】
前記第１のスタンパプレートと同じ構成を有する追加の第１のスタンパプレートと、
前記第２のスタンパプレートと同じ構成を有する追加の第２のスタンパプレートとをさらに備え、
前記第１のスタンパプレート、前記追加の第１のスタンパプレート、前記第２のスタンパプレート、および前記追加の第２のスタンパプレートは互いに結合されている、請求項１５に記載のエンボス加工ドラム。
【請求項１８】
前記第１のスタンパプレートと前記追加の第１のスタンパプレートとは互いに隣接して位置付けられており、前記第２のスタンパプレートと前記追加の第２のスタンパプレートとは互いに隣接して位置付けられている、請求項１７に記載のエンボス加工ドラム。
【請求項１９】
前記ランドパターンおよびグルーブパターンはウォブルパターンを含み、各第１のスタンパプレートの前記ウォブルパターンは、各第２のスタンパプレートの前記ウォブルパターンに対して垂直に鏡映である、請求項１７に記載のエンボス加工ドラム。
【請求項２０】
前記ランドパターンおよびグルーブパターンはエンボス特徴を規定し、各プレートの前記エンボス特徴は各プレートの各端部に識別子を含み、
隣接するプレートの隣接する端部の前記識別子は各プレートを識別するのに使用される、請求項１７に記載のエンボス加工ドラム。
【発明の詳細な説明】
【技術分野】
【０００１】
本開示は、テープ媒体用のエンボッサドラムと、エンボッサドラムおよびその部品を製作する方法とに関する。
【背景技術】
【０００２】
背景
ウォブルした（wobbled）端縁グルーブトラックパターン（「ウォブル（wobble）パターン」と称される）などのナノメートル寸法構造（ナノ構造の特徴またはパターン）のインプリントにより光学テープ媒体をプリフォーマットする効率的かつ効果的な手段として、ロールツーロール方式のナノインプリントリソグラフィシステム、たとえば図１に示すプラットフォーム１０などが提案されている。これらのシステムは、典型的には、図１のプラットフォーム１０を用いて示されるような、いくつかの動作の段階を含む。プラットフォーム１０は、さまざまな段階を通って光学テープ媒体１４を動かすためのテープ駆動システム１２も含む。上記さまざまな段階は、適切なエンボス加工モノマーおよび他の化学薬品で媒体１４をコーティングするためのコーティング段階およびスパッタリング段階１６、１８と、媒体１４上に所望のパターンをインプリントするためのエンボス加工段階２０と、エンボス加工された媒体１４を硬化するための硬化段階２２と、媒体１４を切断するためのスリット段階２４とを含み得る。図１に示すプラットフォームは、駆動システム１２と通信して媒体１４の張力に関する情報を提供する張力センサ２６も含む。
【０００３】
エンボス加工段階２０の役目は、硬い表面にパターンが形成されたエンボス加工ドラム２８を用いて、ナノ構造パターンを媒体１４にインプリントすることである。媒体１４上のモノマーコーティングにドラム２８を押付ける処理と、続いて行なわれるモノマー材料の硬化処理とにより、ナノ寸法の精密さおよび正確さでパターンが媒体１４内にインプリントされ得る。
【発明の概要】
【０００４】
ここで、図２を参照してエンボス加工ドラム２８の作製について述べる。作製プロセスは、まず、ボックス３０内に示すように、ナノ構造の特徴またはパターンおよびそれらのレイアウトを設計することで開始される。続いて、ナノ構造パターンでエッチングされたクオーツまたはシリコンの「マスター」３２の形成を行なう。次いで、マスター３２の剛性ポリマー材料の複数のレプリカ３４を製造することにより、マスター３２のパターンの同一かつ反転レプリカを製作する。次に、レプリカ３４の表面を電気めっきすることにより、ナノ構造パターンを有する薄い金属のシムまたはスタンパプレート３６を形成する。次いで、薄い金属のプレート３６を加工および成形して、エンボス加工ドラム２８のセグメントを製作する。エンボス加工ドラム２８が４つの同一のスタンパプレート３６を含むように、セグメントを継ぎ目で互いに溶接して最終的なエンボス加工ドラム２８を作る。
【課題を解決するための手段】
【０００５】
概要
本開示の一局面によれば、テープ媒体をエンボス加工するために使用可能なエンボス加工ドラム用のスタンパプレートを製作する方法が提供される。この方法は、マスターテンプレートを用いて１つ以上の第１のスタンパプレートを形成するステップと、上記１つ以上の第１のスタンパプレートのうち１つの第１のスタンパプレートから、第２のスタンパプレートを、第２のスタンパプレートと上記１つの第１のスタンパプレートとが反転したランドパターンとグルーブパターンとを有するように形成するステップとを含む。さらに、第２のスタンパプレートおよび上記１つの第１のスタンパプレートまたは上記１つ以上の第１のスタンパプレートのうち別の第１のスタンパプレートは、テープ媒体をエンボス加工するために上記ドラム上で使用可能である。
【０００６】
本開示の別の局面によれば、テープ媒体をエンボス加工するために使用可能なエンボス加工ドラムを製作する方法が提供される。この方法は、テープ媒体をエンボス加工するためのエンボス特徴を各々が有する複数のスタンパプレートを組立てるステップを含み、スタンパプレートは、少なくとも１つの第１のプレートと少なくとも１つの第２のプレートとを含む。さらに、各第１のプレートのエンボス特徴は、各第２のプレートのエンボス特徴に対して反転している。
【０００７】
本開示のさらに別の局面によれば、テープ媒体をエンボス加工するためのエンボス加工ドラムが提供される。このエンボス加工ドラムは、テープ媒体をエンボス加工するための第１のスタンパプレートと、第１のスタンパプレートに近接して位置付けられた、テープ媒体をエンボス加工するための第２のスタンパプレートとを備える。スタンパプレートは反転したランドパターンとグルーブパターンとを有する。
【０００８】
例示的な実施形態が図示および開示されるが、当該開示は特許請求の範囲を限定するものとして解釈すべきではない。本発明の範囲から逸脱せずにさまざまな変形および代替的な設計が為され得ることを予め述べておく。
【図面の簡単な説明】
【０００９】
【図１】光学テープ媒体にインプリントするためのエンボス加工ドラムを含む、ロールツーロール方式のナノインプリントリソグラフィシステムの概略図である。
【図２】図１に示すエンボス加工ドラムを製作するための製造プロセスの詳細を示す概略図である。
【図３】本開示に係るエンボス加工ドラムを製作するための製造プロセスの詳細を示す概略図である。
【図４】図３のエンボス加工ドラムを製作するための製造プロセスの追加の詳細を示す概略図である。
【図５】図３のエンボス加工ドラムの第１のスタンパシムまたはスタンパプレートの平面図である。
【図６】図３のエンボス加工ドラムの第２のスタンパシムまたはスタンパプレートの平面図である。
【図７】第１および第２のスタンパプレートによってそれぞれインプリントされたテープ媒体の第１および第２の部分の平面図である。
【図８】図３に示すエンボス加工ドラムを製作するために互いに溶接された４つのスタンパプレートを示す平面図である。
【発明を実施するための形態】
【００１０】
詳細な説明
本明細書において、本開示の実施形態が説明される。ただし、開示された実施形態は例にすぎず、他の実施形態はさまざまな代替的な形態を取り得ることを理解すべきである。図は必ずしも縮尺通りではない。特定の構成要素の詳細を示すために、いくつかの特徴が誇張または最小化される場合がある。したがって、本明細書で開示された具体的な構造または機能の詳細は、限定的なものとして解釈すべきではなく、当業者がさまざまな態様で本発明を使用できるように教示するための代表的なベースとして解釈すべきであるにすぎない。当業者ならば理解するであろうが、図のうち何れか１つを参照して図示および説明するさまざまな特徴を、１つ以上の他の図中に示す特徴と組合せることで、明示的に図示または説明されていない実施形態を作り出すことが可能である。図示された特徴の組合せは、典型的な適用例に係る代表的な実施形態を提供する。しかしながら、本開示の教示と整合する、特徴のさまざまな組合せおよび修正が、特定の適用例または実現例のために望ましい場合がある。
【００１１】
図３は、光学テープ媒体をエンボス加工するために用いられ得る、本開示に係るエンボッサドラムまたはエンボス加工ドラム１１０を示す。たとえば、エンボス加工ドラム１１０は、図１に示すシステムまたはプラットフォーム１０において、媒体１４をエンボス加工するためのエンボス加工ドラム２８の代わりに使用され得る。しかしながら、エンボス加工ドラム１１０は、当該ドラム１１０を製作するために使用されるシムまたはスタンパプレート１１２を識別するための革新的な方法を提供する。
【００１２】
エンボス加工ドラム１１０は、テープ媒体をエンボス加工するための１つ以上の第１のスタンパプレート１１２ａと、同様にテープ媒体をエンボス加工するための、上記１つ以上の第１のスタンパプレート１１２ａに近接して位置付けられた１つ以上の第２のスタンパプレート１１２ｂとを含み得る。以下でさらに詳しく説明するが、図３に示す実施形態において、エンボス加工ドラム１１０は、ナノメートル寸法構造（ナノ構造の特徴またはパターン）が形成された２つの第１のスタンパプレート１１２ａと２つの第２のスタンパプレート１１２ｂとを含み、スタンパプレート１１２ａとスタンパプレート１１２ｂとが互いに区別可能となっている。ナノ構造特徴は、エンボス特徴１１３、たとえば、ウォブルした端縁グルーブトラックパターンを規定するランドパターンおよびグルーブパターンなどを含み得る。これらは「ウォブルパターン」と称され得る。
【００１３】
各第１のプレート１１２ａは、単一のマスターテンプレート１１４、たとえばクオーツまたはシリコンのマスターなど用いて形成され得る。たとえば、ポリマーレプリカなどの１つ以上のレプリカ１１６が、マスターテンプレート１１４から形成され得る。たとえば、レプリカ１１６のうち１つの上にニッケルまたは他の好適な材料を電気めっきし、次いで、このように形成した第１のスタンパプレート１１２ａをレプリカ１１６から除去することにより、各第１のスタンパプレート１１２ａをレプリカ１１６のうち１つから形成し得る。別の例として、各第１のスタンパプレート１１２ａは、同じレプリカ１１６から形成され得る。さらに、図３および図４を参照すると、第２のスタンパプレート１１２ｂの各々は、ドラム１１０に用いられる第１のスタンパプレート１１２ａのうち１つから形成され得る。あるいは、各第２のスタンパプレート１１２ｂは、レプリカ１１６のうち１つから製作された別の第１のスタンパプレート１１２ａから形成され得る。あるいは、第２のスタンパプレート１１２ｂは両方とも、同じ第１のスタンパプレート１１２ａ（ドラム１１０に用いられる第１のスタンパプレート１１２ａまたは別の第１のスタンパプレート１１２ａ）から形成され得る。たとえば、第１のスタンパプレート１１２ａの上にニッケルまたは他の好適な材料を電気めっきし、次いで、このように形成した第２のスタンパプレート１１２ｂを第１のスタンパプレート１１２ａから除去することにより、各第２のスタンパプレート１１２ｂを形成し得る。各第２のスタンパプレート１１２ｂは第１のスタンパプレート１１２ａから製作されるので、第１のスタンパプレート１１２ａは「親」プレートまたは「親」シムと称され、第２のスタンパプレート１１２ｂは「子」プレートまたは「子」シムと称され得る。
【００１４】
上記製造プロセスにより、単一のマスターテンプレート１１４を用いてすべてのスタンパプレート１１２ａ、１１２ｂが形成され得る。さらに、各第２のスタンパプレート１１２ｂは第１のスタンパプレート１１２ａから形成されるので、各第２のプレート１１２ｂのエンボス特徴は、各第１のプレート１１２ａのエンボス特徴に対して反転している。たとえば、第１のスタンパプレート１１２ａ上の各ランド１１３ａは、第２のスタンパプレート１１２ｂ上に形成されたグルーブ１１３ｂに対応し、第１のスタンパプレート１１２ａ上の各グルーブは、第２のスタンパプレート１１２ｂ上に形成されたランドに対応する。さらに、図４で概略的に示すように、各第２のプレート１１２ｂのエンボス特徴１１３ｂは、各第１のプレート１１２ａのエンボス特徴１１３ａに対して垂直に鏡映（たとえば、テープ媒体の進行方向において長手方向に鏡映）であってもよい。
【００１５】
図５を参照して、例示的な第１のスタンパプレート１１２ａをより詳細に示す。図示された実施形態において、第１のスタンパプレート１１２ａは、第１のセクション１１８ａ、第２のセクション１２０ａ、第３のセクション１２２ａ、および第４のセクション１２４ａに分割される。第１のセクション１１８ａは、継ぎ目後の領域またはセクション（たとえば、第１のスタンパプレート１１２ａが別のスタンパプレートに接合される継ぎ目の後に位置することになるセクション）であり得る。第４のセクションは、継ぎ目前の領域またはセクション（たとえば、第１のスタンパプレート１１２ａが別のスタンパプレートに接合される継ぎ目の前に位置することになるセクション）であり得る。第２のセクション１２０ａおよび第３のセクション１２２ａは、第１のセクション１１８ａと第４のセクション１２４ａとの間、かつ、第１のスタンパプレート１１２ａの中心線１２６ａを挟んで反対側に位置し得る。さらに、第２のセクション１２０ａはアドレス領域と称され得て、第３のセクション１２２ａは逆アドレス領域と称され得る。第１のスタンパプレート１１２ａによりインプリントされるテープ媒体の、対応する進行方向１２７も図５に示す。
【００１６】
図５に示す実施形態において、第１のセクション１１８ａおよび第４のセクション１２４ａは、互いに対して水平に鏡映（たとえば、左右方向に鏡映）である。さらに、第１のセクション１１８ａは、たとえば、端縁１２８ａが一様にウォブルしたグルーブパターンを有し、第４のセクション１２４ａは、端縁１３０ａが一様にウォブルしたランドパターンを有する。
【００１７】
図６を参照すると、例示的な第２のスタンパプレート１１２ｂがより詳細に示される。上述したように、第２のスタンパプレート１１２ｂは第１のスタンパプレート１１２ａから形成されるので、第１のスタンパプレート１１２ａと第２のスタンパプレート１１２ｂとは、反転したランドパターンとグルーブパターンとを有する。たとえば、第１のスタンパプレート１１２ａにおけるランドパターンは、第２のスタンパプレート１１２ｂにおけるグルーブパターンに適合または対応する。第１のスタンパプレート１１２ａにおけるグルーブパターンは、第２のスタンパプレート１１２ｂにおけるランドパターンに適合または対応する。
【００１８】
さらに、第２のスタンパプレート１１２ｂは、第１のセクション１１８ｂ、第２のセクション１２０ｂ、第３のセクション１２２ｂ、および第４のセクション１２４ｂに分割され、第２のスタンパプレート１１２ｂは、第１のスタンパプレート１１２ａに対して垂直に鏡映である。したがって、第２のスタンパプレート１１２ｂの第１のセクション１１８ｂ、第２のセクション１２０ｂ、第３のセクション１２２ｂ、および第４のセクション１２４ｂは、それぞれ、第１のスタンパプレート１１２ａの第４のセクション１２４ａ、第３のセクション１２２ａ、第２のセクション１２０ａ、および第１のセクション１１８ａに関連または対応する。さらに、図５および図６に示す実施形態において、第２のスタンパプレート１１２ｂの第１のセクション１１８ｂは第１のスタンパプレート１１２ａの第１のセクション１１８ａの水平鏡映レプリカであり、第２のスタンパプレート１１２ｂの第４のセクション１２４ｂは第１のスタンパプレート１１２ａの第４のセクション１２４ａの水平鏡映レプリカである。
【００１９】
スタンパプレート１１２ａおよび１１２ｂは、ドラム１１０を形成するために如何なる好適な態様で組立られてもよい。たとえば、図３を参照すると、スタンパプレート１１２ａおよび１１２ｂを曲げ、または他の方法で成形して湾曲構成とし、これらのスタンパプレート１１２ａおよび１１２ｂを継ぎ目１３２において溶接または任意の好適な態様で互いに接合して円筒体を形成し得る。次いで、この円筒体を拡張（たとえば、機械的に拡張）可能なハブ上に置き、当該円筒体を係合し得る。このような構成により、円筒状のスタンパプレート体は、必要に応じてハブから取除かれ、他の円筒状のスタンパプレート体に取替られ得る。
【００２０】
また、スタンパプレート１１２ａおよび１１２ｂにより製作されるテープ媒体上のインプリントに基づいてスタンパプレート１１２ａおよび１１２ｂが互いに区別され得るように、スタンパプレート１１２ａおよび１１２ｂは如何なる好適な態様で配置されてもよい。その点に関連して、テープ媒体を受入れるテープドライブは、ウォブルアドレスデコーダ（wobble address decoder）または指標整合フィルタ（index matched filter）などの好適な光学式読取装置または検出器１３３（図７に示される）を含み得る。光学式読取装置または検出器１３３は、特定のスタンパプレート１１２ａ、１１２ｂの始端と終端とにそれぞれ対応する、テープ媒体の各インプリントされた部分の始端および終端において情報（たとえば識別子）を読取り、または他の方法で検出し、検出された情報に対応する好適な一または複数の信号を出力し得る。たとえば、検出器１３３は、インプリントされたテープ媒体の前／後領域における指標パルスまたはパルス識別子の形を検出し、検出された指標パルスの形に応じて正または負のパルス信号（または、それぞれ「１」識別子または「０」識別子に対応する信号）を出力し得る。次いで、この情報を用いて、テープ媒体の特定のセクションのインプリントに何れのスタンパプレート１１２ａ、１１２ｂが使用されたかを判断し得る。
【００２１】
図７を参照すると、たとえば、第１のスタンパプレート１１２ａのうち１つによりインプリントされたテープ媒体の第１の部分１３４ａが図７の上部に示され、第２のスタンパプレート１１２ｂのうち１つによりインプリントされたテープ媒体の第２の部分１３４ｂが図７の下部に示される。各テープ部分１３４ａ、１３４ｂはテープセクションに分割される。テープセクションは、当該テープセクションのエンボス加工に使用された対応スタンパプレートセクションの識別に用いたのと同じ参照識別子で識別する（ただし、テープセクションの各参照識別子がプライム記号を含む点を除く）。さらに、各テープ部分のセクションの配置は、対応するスタンパプレートに対して垂直に鏡映である。たとえば、第１のテープ媒体部分１３４ａの最も右のセクションは参照識別子１１８ａ′で識別され、第１のテープ媒体部分１３４ａの最も左のセクションは参照識別子１２４ａ′で識別される。図７に示す実施形態において、継ぎ目後の領域に対応する最も右のセクション１１８ａ′は「高い」または「正の」指標パルスまたはパルス識別子を規定し、継ぎ目前の領域に対応する最も左のセクション１２４ａ′は「低い」または「負の」指標パルスまたはパルス識別子を規定する。同様に、第２のテープ媒体部分１３４ｂ′の最も右のセクション１１８ｂ′（継ぎ目後の領域に対応）は「低い」または「負の」指標パルスまたはパルス識別子を規定し、第２のテープ媒体部分１３４ｂ′の最も左のセクション１２４ｂ′（継ぎ目前の領域に対応）は「高い」または「正の」指標パルスまたはパルス識別子を規定する。
【００２２】
上記の構成では、２つの第１のスタンパプレート１１２ａおよび２つの第２のスタンパプレート１１２ｂは、テープ媒体上にインプリントされた対応する指標パルスが各特定のスタンパプレートの識別を可能にするように、如何なる好適な態様で配置されてもよい（たとえば図８）。図８に示す実施形態において、たとえば、スタンパプレート１１２ａ、１１２ｂは以下の順序で配置される。すなわち、第２のスタンパプレート１１２ｂ（シム１）−第２のスタンパプレート１１２ｂ（シム２）−第１のスタンパプレート１１２ａ（シム３）−第１のスタンパプレート１１２ａ（シム４）。各スタンパプレート１１２ａ、１１２ｂの各端部に関連付けられた対応する指標パルス極性も図８に示される。
【００２３】
エンボス加工処理時、同じ指標パルス極性がテープ媒体上にインプリントされる。次いで、テープ媒体の使用時にドライブにおける検出器１３３により検出された指標パルス極性を用いて、テープ媒体の特定の部分のインプリントに何れの特定のスタンパプレート１１２ａ、１１２ｂが使用されたかを判断し得る。たとえば、スタンパプレートの継ぎ目後の領域および継ぎ目前の領域に対応するテープ媒体位置において検出された指標パルス極性またはパルス識別子に基づき、以下の表を用いて特定のスタンパプレートが識別され得る。
【００２４】
【表１】
0006465957.tif 000002
【００２５】
上記の構成により、区別可能または識別可能なスタンパプレートまたはスタンパシムを有するエンボス加工ドラム１１０は、単一のマスターテンプレートを用いて効率的に製作され得る。スタンパプレートまたはスタンパシムの識別は、たとえば、テープ媒体の長手方向のアドレッシングにおいて重要であり得る。さらに、上記の構成により、インプリントされたテープ媒体の部分は、エンボス加工ドラム１１０の特定のセクションに正確に対応付けられ得る。結果として、不具合のあるスタンパプレートが容易に特定され、および／または、将来使用される改善されたスタンパプレートの形成が可能になり得る。
【００２６】
本開示に係るエンボス加工ドラムは、単一のマスターテンプレートを用いて形成され得る如何なる好適な数のスタンパプレートを含んでもよい。たとえば、特定のエンボス加工ドラムの所望のサイズに応じて、２つ以上のスタンパプレートがエンボス加工ドラム形成のために用いられてもよい。一実施形態において、本開示に係るエンボス加工ドラムは、上述した第１のスタンパプレート１１２ａのうち４つおよび４つの第２のスタンパプレート１１２ｂを含む８つのスタンパプレートを備えてもよく、それらはたとえば以下の順序で配置され得る。すなわち、第２のスタンパプレート１１２ｂ（シム１）−第２のスタンパプレート１１２ｂ（シム２）−第１のスタンパプレート１１２ａ（シム３）−第１のスタンパプレート１１２ａ（シム４）−第２のスタンパプレート１１２ｂ（シム５）−第２のスタンパプレート１１２ｂ（シム６）−第１のスタンパプレート１１２ａ（シム７）−第１のスタンパプレート１１２ａ（シム８）。スタンパプレートの継ぎ目後の領域および継ぎ目前の領域に対応するテープ媒体位置において検出された指標パルス極性またはパルス識別子に基づき、たとえば以下の表を用いてスタンパプレートが識別され得る。
【００２７】
【表２】
0006465957.tif 000003
【００２８】
例示的な実施形態を上で説明したが、これらの実施形態が本発明のすべての可能な形態を説明することを意図しているのではない。むしろ、本明細書中で使用された文言は限定ではなく描写の文言である。本発明の精神および範囲から逸脱することなく、さまざまな変更が為され得ることが理解される。さらに、実行するさまざまな実施形態の特徴を組合わせて、本発明の他の実施形態を成し得る。
【図１】
0006465957.tif 000004
【図２】
0006465957.tif 000005
【図３】
0006465957.tif 000006
【図４】
0006465957.tif 000007
【図５】
0006465957.tif 000008
【図６】
0006465957.tif 000009
【図７】
0006465957.tif 000010
【図８】
0006465957.tif 000011